(57)【要約】【課題】加熱調理器の使用状態に応じて自動的に排気するレンジフードにおいて、安価なレンジフードを提供することを目的とする。【解決手段】加熱調理機器１の上部に設置され、調理時に発生する油煙や臭いを屋外へ排気するファンモータ６を有し、加熱調理機器１周辺の赤外線を検出する熱起電力型温度センサからなる温度検出部９と、操作入力部１１と、ファンモータ６を駆動させるモータ駆動部１３とを接続する制御部１４を備え、温度検出部９で検出した温度によってファンを自動運転するレンジフードにおいて制御部１４は、温度検出部９からの信号によってレンジフードの取り付け高さを計算することを特徴とする。【選択図】図１
2013124840.tif 000002
【特許請求の範囲】
【請求項１】
加熱調理機器の上部に設置され、調理時に発生する油煙や臭いを屋外へ排気するファンモータを有し、
前記加熱調理機器周辺の赤外線を検出する熱起電力型温度センサからなる温度検出部と、
操作入力部と、
前記ファンモータを駆動させるモータ駆動部とを接続する制御部を備え、
温度検出部で検出した温度によってファンを自動運転するレンジフードにおいて、
前記制御部は、
前記温度検出部からの信号によってレンジフードの取り付け高さを計算することを
特徴とするレンジフード。
【発明の詳細な説明】
【技術分野】
【０００１】
本発明は、本発明は、調理機器の熱源を検出し排気ファンモータを連動運転するレンジフードに関するものである。
【背景技術】
【０００２】
従来、この種のレンジフードは、熱起電力型温度センサをレンジフードに取り付け、熱調理器の運転を開始したことで発する遠赤外線を熱起電力型温度センサが検出し、レンジフードの制御部がその検出に基づいて排気ファンモータの制御を行うものであり、加熱調理器の使用に連動してレンジフードが自動的に運転し、且つ加熱調理器の使用状態に応じて自動的に排気するものが知られている。（例えば、特許文献１参照）。
【０００３】
以下、そのレンジフードについて図５および図６を参照しながら説明する。
【０００４】
図５、図６に示すように、レンジフード１０１はＩＨ調理器１０３の上部に取り付けられ、レンジフード１０１内部には排気ファンモータ１０５が構成されていて、ＩＨ調理器１０３を使ってユーザーが調理を行った際に発生する油煙等を吸い上げ、吐出口１０７から屋外へ排出するものである。
【０００５】
センサユニット１０４は、フレネルレンズと単眼のセンサ素子を備えた熱起電力型温度センサで構成され、ＩＨ調理器１０３のトッププレート１０２に対面し、物体が発する遠赤外線を検知するものであり、ＩＨ調理機器１０３のトッププレート１０２上で半径２５ｃｍのエリア１０８を監視している。さらに測距センサ１１８がレンジフード１０１の壁奥側でＩＨ調理機器１０３のトッププレート１０２と対面する形で取り付けられており、測距センサ１１８から発せられた赤外線１２３がトッププレート１０２で反射し、再び測距センサ１１８に戻り、その際の赤外線入射角度からＩＨ調理機器１０３と測距センサ１１８との距離を測定する。
【０００６】
この半径２５ｃｍのエリア１０８を監視とは、このエリア１０８で平均相対温度を検知するものであり、平均相対温度とは加熱部１０６とそれ以外箇所の温度を平均するものであり、さらにレンジフード１０１の取り付け高さによって検出温度が変化するため、測距センサ１１８で測定した距離をもとに制御部１１６では熱起電力型温度センサ１１０が計測する温度の補正を行う。例えば、ＩＨ調理機器１０３と熱起電力センサ１１０との距離が１００ｃｍの場合には検出エリア１０８は半径３２ｃｍとなって、そのエリア１０８は距離が８０ｃｍの場合に比べて拡大し平均相対温度は低下するので、検出した平均相対温度に約３．８℃を補正として加え、距離による検出温度の補正を行っている。
【先行技術文献】
【特許文献】
【０００７】
【特許文献１】特開２００９−１２１７５１号公報
【発明の概要】
【発明が解決しようとする課題】
【０００８】
このような従来のレンジフードにおいては、熱起電力型温度センサで検出する値はレンジフードの取り付け高さによって大きく異なるため測距センサを用いてレンジフードの取り付け高さを測定し、熱起電力型温度センサで検出した温度を補正しなければならず、製造コストが高くなるという課題を有していた。
【０００９】
そこで本発明は、上記従来の課題を解決するものであり、測距センサを用いずともレンジフードの取り付け高さを計算し、熱起電力型温度センサで検出した温度を補正する安価なレンジフードを提供することを目的とする。
【課題を解決するための手段】
【００１０】
そして、この目的を達成するために、本発明は、レンジフードに、加熱調理機器周辺の赤外線を検出する熱起電力型温度センサからなる温度検出部と、操作入力部と、前記排気ファンモータを駆動させるモータ駆動部とを接続する制御部を備え、前記制御部は、前記温度検出部からの信号によってレンジフードの取り付け高さを計算するものであり、これにより初期の目的を達成するものである。
【発明の効果】
【００１１】
本発明によれば、レンジフードに、加熱調理機器周辺の赤外線を検出する熱起電力型温度センサからなる温度検出部と、操作入力部と、前記排気ファンモータを駆動させるモータ駆動部とを接続する制御部を備え、前記制御部は、前記温度検出部からの信号によってレンジフードの取り付け高さを計算することで測距センサを備えることを不要とすることで安価に製品を製造するという効果を得ることができる。
【図面の簡単な説明】
【００１２】
【図１】本発明の実施の形態１のレンジフードの設置状態を示す正面図
【図２】同実施の形態１のレンジフードの動作を実現させるための構成を示す図
【図３】同実施の形態１の温度検出部の温度検出範囲を示す図
【図４】本レンジフードの動作を示すフローチャート
【図５】従来のレンジフードを示す斜視図
【図６】同レンジフードの正面図
【発明を実施するための形態】
【００１３】
本発明の請求項１記載のレンジフードは、加熱調理機器の上部に設置され、調理時に発生する油煙や臭いを屋外へ排気するファンモータを有するものであり、前記加熱調理機器周辺の赤外線を検出する熱起電力型温度センサからなる温度検出部と、操作入力部と、前記排気ファンモータを駆動させるモータ駆動部とを接続する制御部を備え前記制御部は、
前記温度検出部からの信号によってレンジフードの取り付け高さを計算するものである。
【００１４】
これにより、測距センサを用いずともレンジフードの取り付け高さを計算し、熱起電力型温度センサで検出した温度を補正する作用を奏する。（請求項１）。
【００１５】
以下、本発明の実施の形態について図面を参照しながら説明する。
【００１６】
（実施の形態１）
図１および図２に示すように、加熱調理機器１のトッププレート２には、調理器具としてフライパン３がのせられている。
【００１７】
そして、加熱調理機器１の上方には、屋外に導通するダクト４を吐出口５に接続したファンモータ６を有するレンジフード７が設置されている。
【００１８】
このレンジフード７の下側には、トッププレート２に対向して、調理時に発生する油煙や臭いを捕集する一例として方形のフード８が設けてあり、このフード８には、加熱調理機器１の熱源に対向するように熱起電力型温度センサからなる温度検出部９がフード８の吸込口の調理者側である手前に設けてある。
【００１９】
レンジフード７には電装部１０を設け、この電装部１０は、温度検出部９と、操作入力部１１と運転表示部１２と制御部１４とで構成されている。ファンモータ６は、制御部１４に設けたモータ駆動部１３に接続されている。
【００２０】
そして、図１に示すように、レンジフードの取り付け高さＡが８０ｃｍの時には図３に示すように、温度検出部９（図１に記載）の検出範囲１５を半径２５ｃｍの円とすると、検出範囲１５の面積は１９６３ｃｍ2である。そして、トッププレート２上の平均温度が３０℃となった状態で面積が３１４ｃｍ2（半径１０ｃｍに相当）のフライパン３の平均温度が１００℃となるまで加熱すると、温度検出部９で検出する温度は４１．２℃となる。
【００２１】
一方、レンジフード７の取り付け高さＡが１００ｃｍの時には同様に考えると、温度検出部９の検出範囲１５の半径は３１．２５ｃｍとなり検出範囲１５の面積は３０６８ｃｍ2となる。トッププレート２上の平均温度が３０℃となった状態で面積が３１４ｃｍ2のフライパン３の平均温度が１００℃となるまで加熱すると、温度検出部９で検出する温度は３７．２℃となる。
【００２２】
逆に、トッププレート２上の平均温度が３０℃となった状態で面積が３１４ｃｍ2のフライパン３の平均温度が１００℃となるまで加熱した時に、温度検出部９で検出する温度が４１．２℃となった場合は、温度検出部９とフライパン３との距離が８０ｃｍと判断し、温度検出部９で検出する温度が３７．２℃となった場合は、温度検出部９とフライパン３との距離が１００ｃｍと判断する。
【００２３】
図４は、レンジフード７の動作を示すフローチャートである。
【００２４】
ステップ１で、温度検出部９により検出した温度を制御部１４に出力する。ステップ２では温度検出部９より温度を入力された制御部１４はレンジフードの取り付け高さを求める。ステップ３では制御部１４にて求められたレンジフード７の取り付け高さＡから検出温度を補正する。
【００２５】
具体的に上記の例では、レンジフードの取り付け高さが１００ｃｍの場合にはレンジフードの取り付け高さが８０ｃｍの場合よりも温度検出部９が検出した温度は４℃低いため、補正温度は検出温度に４℃足した値とする。
【００２６】
次に、ステップ４では制御部１４で補正された検出温度を元に予め温度−風量のテーブルから風量を決定する。
【００２７】
このように本発明の実施の形態１のレンジフードによれば測距センサを用いずともレンジフードの取り付け高さを計算し、熱起電力型温度センサで検出した温度を補正する安価なレンジフードを提供することが可能となる。
【産業上の利用可能性】
【００２８】
本発明にかかるレンジフードは、加熱調理器の使用状態に応じて自動的に排気するレンジフードを安価に製造することに有用である。
【符号の説明】
【００２９】
１    加熱調理機器
２    トッププレート
３    フライパン
４    ダクト
５    吐出口
６    ファンモータ
７    レンジフード
８    フード
９    温度検出部
１０  電装部
１１  操作入力部
１２  運転表示部
１３  モータ駆動部
１４  制御部
【図１】
2013124840.tif 000003
【図２】
2013124840.tif 000004
【図３】
2013124840.tif 000005
【図４】
2013124840.tif 000006
【図５】
2013124840.tif 000007
【図６】
2013124840.tif 000008